(57)【要約】      （修正有）【課題】一般洋式トイレ及び介護用のポータブルトイレの臭いを確実に抑えることが出来ると共に、交換が簡単に行うことが出来且つ落下や紛失がおこりにくい消臭剤を提供する。【解決手段】トイレの蓋裏面に専用フックを貼り付けて、専用消臭剤を吊り下げて使用する。専用フックのフック部にはふくらみがあり、フック上部は専用消臭剤の引っ掛け通路を狭くするようにして専用消臭剤の着脱が容易で且つ衝撃等による落下防止構造を備え、専用フックの裏面に粘着テープを貼り付ける。【選択図】図１
0003153893.tif 000002
【実用新案登録請求の範囲】
【請求項１】
蓋付きの一般洋式トイレ及び介護用のポータブルトイレの蓋裏面に専用フックを貼り付けて、そのフックに専用消臭剤を吊り下げて使用する、専用フックと専用消臭剤が一体となった木炭等を活用した吊り下げ式トイレ用消臭剤。
【請求項２】
専用フックのフック部９にはふくらみがあり、フック上部は専用消臭剤の引っ掛け通路を狭くするようにして専用消臭剤の着脱が容易で且つ衝撃等による落下防止構造を備え、専用フックの裏面に粘着テープを貼り付けた請求項１に記載した木炭等を活用した吊り下げ式トイレ用消臭剤。
【請求項３】
通気性の良い不織布及び紙等に、消臭効果の高い木炭、竹炭、活性炭及び鉱石等の単一部材若しくはこれらの組み合わせ部材を内包し、専用フックに容易に着脱が可能となるよう先端部に引っ掛け孔を有し且つ衝撃等による落下防止構造を備えた請求項１に記載した木炭等を活用した吊り下げ式トイレ用消臭剤。
【請求項４】
専用消臭剤は、上辺が狭く下辺が広い形態の全体が二等辺三角形又は台形を形成、若しくは、消臭剤上部のフックを取り付ける部位において、二等辺三角形又は台形を形成することを特徴とする請求項１に記載した木炭等を活用した吊り下げ式トイレ用消臭剤。
【請求項５】
専用消臭剤は、上部先端部に引っ掛け孔を有し、本引っ掛け孔にフックを通し吊り下げることを特徴とする請求項１に記載した木炭等を活用した吊り下げ式トイレ用消臭剤。
【請求項６】
介護用ポータブルトイレの蓋が二つに折りたためるタイプに構成し、使用時においては、蓋の前部と後部の間に専用消臭剤が外から見えないように収納されることを特徴とする請求項１に記載した木炭等を活用した吊り下げ式トイレ用消臭剤。
【考案の詳細な説明】
【技術分野】
【０００１】
本考案は、蓋付きの一般洋式トイレ及び介護用のポータブルトイレに直接貼付して使用する吊り下げ式トイレ用消臭剤に係り、消臭剤が容易に交換可能で且つ効果的にトイレの臭いを消臭することが出来る、消臭剤に木炭、竹炭、活性炭及び鉱石等を活用した吊り下げ式トイレ消臭剤に関する。
【背景技術】
【０００２】
上記の便器に直接貼付するトイレ用消臭剤としては、例えば、特許文献１に示されるように、上蓋の裏面に消臭剤本体を直接貼付し固定するタイプのものが一般的であった。また、特許文献２に示されるように、消臭剤を直接便器に貼付するのではなく、バンド等で間接的に固定し且つ容易に脱着可能なタイプのものが提案されている。
【先行技術文献】
【特許文献】
【０００３】
【特許文献１】特開２００７−５４５８３号公報  「トイレ用消臭器」
【特許文献２】実用新案登録第３０１７９５７号公報  「トイレ用脱・消臭具」
【考案の概要】
【考案が解決しようとする課題】
【０００４】
特許文献１に示されるように、消臭剤本体をトイレの蓋裏に固定させるものは、介護用のポータブルトイレに多く見られる蓋が二つに折りたためるタイプを使用時においては、（１）蓋が中心部で二つに折れる為、構造上、折目に当たる中心部に、消臭剤の取り付けが出来ない。故に、消臭能力を最大限発揮出来ないという欠点がある。
（２）蓋前部（蓋の折れる側）は、表面に蓋が閉め易く（戻し易く）なるよう把手となる溝が掘り込んであり（図２−４）、その裏面は表面の溝の形に沿って凸形状を成している（図１−３）。その凸形状の上に取り付けると、蓋を折りたたんだときに、蓋の間にはさまれてしまい、消臭剤自体が破損してしまうという欠点がある。
（３）消臭剤を破損させないよう蓋裏面前部に消臭剤を取り付けるには、上記の凸形状をかわして消臭剤を取り付けなければならないが、そのとき、蓋裏面前部の先端部に取り付けると、蓋を閉めた時に消臭剤が便座に接触する可能性がある。また、蓋裏面後部に消臭剤を取り付けると、消臭剤と臭いの発生源までの距離が出来、消臭に係る能力が十分に発揮出来ないという欠点がある。
【０００５】
特許文献２に示されるように、蓋にバンド等で間接的に固定させるものは、介護用のポータブルトイレに多く見られる蓋が二つに折りたためるタイプを使用時においては、
（１）掃除の際、消臭剤が邪魔になるという欠点がある。
（２）消臭剤の交換時に手間がかかるという欠点がある。
（３）被介護者等の使用者にいたずらされ易いという欠点がある。
【課題を解決するための手段】
【０００６】
本考案は、蓋付きの一般洋式トイレ及び介護用のポータブルトイレの蓋裏面に、専用フックを貼付し、そのフックに専用消臭剤を吊り下げて使用するという簡易な構造になっていることを特徴とする。
【０００７】
第２に、上記フックは、専用消臭剤の着脱が容易で且つ蓋の開閉時に生じる縦ゆれ及び横ゆれによる落下防止の構造となっていることを特徴とする。
【０００８】
第３に、専用消臭剤は、通気性の良い不織布又は紙等に消臭効果の高い木炭、竹炭、活性炭及び鉱石等の単一部材若しくはこれらの組み合わせ部材を内包したものであり、重量も軽い。これにより、本消臭剤を引っ掛ける専用フックは、蓋裏面との接地面積を最小限にとどめることが出来、フック本体（フック部及び架台を含む）の形体も小さいもので済む為、あらゆる形状や大きさのトイレの蓋裏面に貼付出来ることを特徴とする。
【０００９】
第４に、専用消臭剤は、上辺が狭く下辺が広い形態の全体が二等辺三角形又は台形を形成しており、また、消臭剤上部のフックを取り付ける部位についても、同様に二等辺三角形又は台形を形成することを特徴とする。
これにより、トイレの蓋の開閉時に生じる縦ゆれ及び横ゆれに対し、専用消臭剤上部の角部が蓋裏面に接触しにくくなり、フックからの落下防止に有効である。なお、消臭剤充填部の形状は規定しない
【００１０】
第５に、上記専用消臭剤は、上部先端部に引っ掛け孔を有し、本引っ掛け孔にフックを通し吊り下げるだけで、完全な固定を必要としない。これにより、トイレの蓋を閉めるとき、重力によって上記専用消臭剤が臭いの発生源へ近づくことが可能となることを特徴とする。
【００１１】
第６に、介護用のポータブルトイレに多く見られる蓋が二つに折りたためるタイプを使用時においては、蓋の前部と後部の間に上記専用消臭剤が外から見えないように収納される。これにより、いたずら等による消臭剤の取り外しや紛失又は落下等を防止することを特徴とする。
【考案の効果】
【００１２】
蓋付きトイレの蓋裏面に専用フックを貼付し、専用消臭剤の先端部の引っ掛け孔に、そのフックを通して吊り下げるという簡易な構造を有しているので、
（１）あらゆる形状及び大きさの蓋付きトイレに使用出来る。
（２）子供や高齢者にも簡単に掃除及び消臭剤の交換が出来る。
（３）介護用のポータブルトイレに多く見られる蓋が二つに折りたためるタイプを使用時においては、消臭剤が蓋の間に収納される為、使用時に、過失等による消臭剤の取り外しや紛失又は落下が起こりにくい。
【００１３】
専用フックは、専用消臭剤に対して適度な引っ掛かりと落下防止の形状を有しており、また、専用消臭剤本体についても、先端部に引っ掛け孔を有し、着脱が容易に出来且つ落下防止の形状を有していることを特徴としているので、使用後トイレの蓋を閉める際、蓋裏面に取り付けた消臭剤が、重力によって臭いの発生源に自ら近づいていき、より高い消臭能力が期待出来る。また、トイレの蓋の開閉時や便座に座ったり立ったりした際に生じる衝撃を連続的に受けても、消臭剤が便器内に落下しないような形状になっている。
【図面の簡単な説明】
【００１４】
【図１】図１は、蓋付きトイレの蓋裏面に、木炭等を活用した吊り下げ式トイレ用消臭剤を取り付けた正面図である。
【図２】図２は、トイレ使用時の図であり、蓋付きトイレの蓋前部が折りたたまれている状態で、消臭剤が、蓋前部と後部の間に収納されている状態の図である。
【図３】図３は、蓋付きトイレにトイレ用消臭剤を吊り下げた状態で、蓋を開閉する時の側面図である。
【図４】図４は、本考案の一実施例を示す専用フックの正面図である。
【図５】図５（ａ）・（ｂ）は、図４の専用フックに消臭剤を吊り下げた状態の正面図であり、（ａ）・（ｂ）の区別としては、（ａ）は、フックを取り付ける部位が二等辺三角形を形成しているタイプの消臭剤を表しており、（ｂ）は、消臭剤が台形を形成しているタイプである。
【図６】図６は、図５（ａ）・（ｂ）共通の側面図である。
【考案を実施するための形態】
【００１５】
本考案は、蓋付トイレの蓋裏面に専用フックを貼り付け、そのフックを、専用消臭剤の引っ掛け孔に通し吊り下げて使用するという形態である。以下、本考案の一実施例について図１〜図６を用いて詳細に説明する。
【００１６】
図１において、１は専用フック、２は専用消臭剤を示し、１の専用フックを、蓋付きトイレＴの蓋Ｆ裏面（この図面は、介護用のポータブルトイレに多く見られる蓋がヒンジ部Ｈで二つに折りたためるタイプ）に貼り付け、２の消臭剤を吊り下げる。
この専用消臭剤２は、通気性の良い不織布又は紙等に消臭効果の高い木炭、竹炭、活性炭及びゼオライトや福光石などの消臭性機能を有する鉱石等の単一部材若しくはこれらの組み合わせ部材を内包したものである。
【００１７】
図２に示したように、介護用のポータブルトイレＴに多く見られる蓋Ｆが二つに折りたためるタイプでの使用時には、１の専用フックと２の専用消臭部材が、蓋の前部と後部の間に収納されて外部から見えなくなる。
【００１８】
図３は、図２で示した上記のような蓋Ｆが折れるタイプのトイレＴにおいては、使用時には５の後傾姿勢形態（トイレ使用時の専用消臭剤並びに蓋の位置）になり、図１の状態では６の垂直姿勢形態（消臭剤設置及び交換時の消臭剤並びに蓋の位置）となり、蓋Ｆが便座Ｂに近づくにつれて、重力により消臭剤２が地面に対して垂直状態を保持しようとして７の前傾姿勢形態（トイレの蓋開閉時の消臭剤並びに蓋の位置）となり、完全に蓋を閉めた状態では８の水平姿勢形態（トイレの蓋を完全に閉めた時の消臭剤並びに蓋の位置）となる。
【００１９】
図４に専用フック１の詳細を示す。該専用フック１は、９のフック部と１０の架台からなり、１０の架台の裏側には両面テープなどの粘着テープ１０ａを貼付しているが、この構成に変えて、例えば、蓋付きトイレの蓋裏面に、同様の特徴を有するフックが一体成型となっているタイプのものでもよい。
【００２０】
図５（ａ）・（ｂ）は、上記図４の専用フック１に、２の専用消臭剤を吊り下げている形態である。２の専用消臭剤には、１１の引っ掛け孔があり、９のフック部を通し吊り下げる。なお、図５（ａ）は、消臭剤２の上部の上辺が狭く下辺が広い形態の二等辺三角形を形成しているタイプの一例であり、図５（ｂ）は、消臭剤の上辺が狭く下辺が広い形態の台形を形成しているタイプの一例である。
【００２１】
図６は、図５（ａ）・（ｂ）を側面から見た形態で、フック部９には１２のふくらみがあり、１３のフック上部は、１０の架台上部に近い位置に引っ掛け通路を狭くするようにしてある。これにより衝撃等による消臭剤２の落下防止構造を備えた機能とされている。
【実施例】
【００２２】
上記実施例として、蓋付きの一般洋式トイレ及び介護用のポータブルトイレで使用する際には、先ず蓋Ｆ裏面の中心部に専用フック１を貼付する。次に、専用フック１のフック部９を、２の専用消臭剤の先端部の引っ掛け孔１１に通し、フック１に消臭剤２を吊り下げる。上記蓋Ｆの蓋裏面側には、トイレ蓋開閉用把手３が設けられており、蓋表面側にトイレ蓋開閉用把手４が設けられている。
トイレＴを使用後、蓋Ｆを閉じることで重力によって消臭剤２が地面に対して垂直状態を保持しようとするので、蓋Ｆを閉めるにつれて、消臭剤２が自ら臭いの発生源に近づいていこうとする。これにより、蓋Ｆを完全に閉めた際（図３の水平姿勢形態８の状態）、消臭剤２は臭いの発生源に最も近づくことになり、消臭剤２の消臭能力が最大限発揮されることになる。
【００２３】
介護用のポータブルトイレＴに多く見られる蓋Ｆが二つに折りたためるタイプでの使用時には、先ず蓋Ｆ裏面の折り目Ｈをはずした中心部に、図１に示すように専用フック１を貼り付ける。次に、９に示したフック部を、２の専用消臭剤の先端部の１１の引っ掛け孔に通し、フック部９に消臭剤２を吊り下げる。
トイレＴ使用時には、消臭剤２が、折り畳まれる蓋Ｆの間に収納される為、使用者等が触れて、誤って消臭剤２を破損させたり、トイレＴの便器内に落下させたりすることを防止する。
また、トイレＴの使用後には、上記と同様に、蓋Ｆを閉じることで重力によって消臭剤２が地面に対して垂直状態を保持しようとするので、蓋Ｆを閉めるにつれて、消臭剤２が自ら臭いの発生源に近づいていこうとする。これにより、蓋Ｆを完全に閉めた際（図３の水平姿勢形態８の状態）、消臭剤２は臭いの発生源に最も近づくことになり、消臭剤２の消臭能力が最大限発揮されることになる。
【００２４】
掃除及び消臭剤２の交換の際には、２の専用消臭剤の先端部の１１の引っ掛け孔から、９のフック部を外し取り外すことが容易に出来る。新しい消臭剤を吊り下げるときは、これとは逆に、９のフック部を２の専用消臭剤の先端部の１１の引っ掛け孔に通すことで、フックに新しい消臭剤を容易に吊り下げることが出来る。
【産業上の利用可能性】
【００２５】
本考案は、構造上及び消臭剤の原材料から、高い消臭能力が期待出来る為、一般的なトイレにとどまらず、特に臭いで困る介護用のポータブルトイレでの利用価値が高いと思われる。本考案により、経費や手間などの大きな負担をかけることなく、介護者及び被介護者の双方にとって、安全で且つ安心な介護生活を送れるようになる。また、臭いで困っている現場として、介護現場のみならず医療現場においても、潜在的に様々な臭いの問題があると思われる。これらの問題を安全且つ安心な状態で解決する為に、本考案を基に、消臭に特化した様々な商品展開が想定される。加えて、国内にとどまらず、国外にも同様の潜在的なニーズがあることを鑑みれば、本考案の波及効果は極めて高いと言える。
また、消臭剤の原材料として、国内の間伐材の木炭等を使用することで、環境保護や地域の林業振興への貢献が期待できる。
【符号の説明】
【００２６】
１  専用フック
２  専用消臭剤
３  トイレ蓋開閉用把手（蓋裏面側）
４  トイレ蓋開閉用把手（蓋表面側）
５  トイレ使用時の専用消臭剤並びに蓋の位置
６  消臭剤設置及び交換時の消臭剤並びに蓋の位置
７  トイレの蓋開閉時の消臭剤並びに蓋の位置
８  トイレの蓋を完全に閉めた時の消臭剤並びに蓋の位置
９  フック部（専用フック）
１０  架台（専用フック）
１１  専用消臭剤引っ掛け孔
１２  フック湾曲部
１３  フック上部
【図１】
0003153893.tif 000003
【図２】
0003153893.tif 000004
【図３】
0003153893.tif 000005
【図４】
0003153893.tif 000006
【図５】
0003153893.tif 000007
【図６】
0003153893.tif 000008